(57)【特許請求の範囲】
【請求項１】
基板と、前記基板に組合せられる板金カバーとによって形成されるＩＣカード用のカードコネクタにおいて、
前記板金カバーには、前記板金カバー内方に折り曲げて突出するリブと、前記リブをそれぞれ合成樹脂材料で被覆して形成した絶縁体とからなる誤挿入防止機構を配設したことを特徴とするカードコネクタ。
【請求項２】
前記リブは、端面、端面と両側面、あるいは端面といずれか一方の側面が合成樹脂材料で被覆されることを特徴とする請求項１記載のカードコネクタ。
【発明の詳細な説明】
【０００１】
【発明の属する技術分野】
本発明は、カードコネクタに係わるもので、特に、ＩＣカードが挿入されるカードコネクタに関するものである。
【０００２】
【従来の技術】
近年、ＩＣ部品が組込まれたＩＣカードの利用が非常に増大し、ＩＣカードを挿入するカードコネクタが広く求められている。従来のこのようなカードコネクタにおいては市場要求として、高さを低くして低背化を図り、かつＩＣカードの挿入、挿抜に必要な十分な強度のカードコネクタが求められており、さらに、ＩＣカードを保持し、かつ強度を得るための板金カバーを有し、このような板金カバーを基板に対して組込むことによって構成されている。また、所謂、リバースタイプの反転して使用されるカードコネクタにおいても同様の要求があり、そのためにカードコネクタの天井部に板金を使用しており、さらに、ＩＣカードの後ろ差し等の誤挿入を防止する対策が必要とされ、ＩＣカードを裏差した時に、接触端子部としての弾性条片部が押されて座屈しないように金属板金からリブを立ててＩＣカードが弾性条片部（接触端子部）に届かないところで停止させる構造を採っている。
【０００３】
【発明が解決しようとする課題】
しかしながら、このようなカードコネクタにおけるリブは、挿入されたＩＣカードの浮き上がりや、リブにおける許容公差が非常に小さいために、ＩＣカードがリブの上に載ったり、リブを通り越したりして本来の機能を十分に発揮することができず、コンタクトを破損してしまう場合がある。また、リブの高さを高くし過ぎると、ＩＣカードの正規挿入で、リブとパッド部が互いに接触してショートしてしまう問題を有している。さらに、このようなリブの高さは、公差が最悪のＩＣカードにおいて、ＩＣカードのパッド部とカードコネクタ側のリブとが接触しないように設定すると、リブの高さがＩＣカードの端面のＲ部と同じ高さにしか突出することができずに、誤挿入の裏差しで容易にリブに載り上がって、プロテクトが効かない状態となる。
【０００４】
従って、本発明の目的は、このような従来における問題点を解決するために、合成樹脂材料の絶縁体で被覆されたリブを設けてＩＣカードの損傷を無くすと共に、ショートが発生しないようにリブを絶縁体で保護し、かつＩＣカードの後ろ差しを阻止する誤挿入防止機構を有したカードコネクタを提供することにある。
【０００５】
【課題を解決するための手段】
上述の目的を達成するために、本発明のカードコネクタは、基板と、前記基板に組合せられる板金カバーとによって形成されるＩＣカード用のカードコネクタにおいて、前記板金カバーには、前記板金カバー内方に折り曲げて突出するリブと、前記リブをそれぞれ合成樹脂材料で被覆して形成した絶縁体とからなる誤挿入防止機構を配設したことを特徴とする。
【０００６】
また、本発明のカードコネクタは、前記リブが、端面、端面と両側面、あるいは端面といずれか一方の側面が合成樹脂材料で被覆されることを特徴とする。
【０００９】
本発明のその他の目的や特徴および利点は、添付図面に示される本発明の実施形態についての以下の詳細な説明から明らかである。
【００１０】
【発明の実施の形態】
（実施例）
図１乃至図３は、本発明のカードコネクタの実施例を示す図で、図１は、ＩＣカードがカードコネクタに挿入された平面図で、図２は、図１のＡ−Ａ線に沿った部分断面図、図３は、本発明のカードコネクタの板金カバーに設けられるリブを示す板金カバーを裏返した斜視図である。
【００１１】
図１乃至図３に示されるように、本発明のカードコネクタ１は、基板２と、この基板２に組合せられる板金カバー３とによってハウジング形状に構成されており、一方の側は開放されていてＩＣカード挿入口４が形成され、他方の側は閉鎖されていてＩＣカード２０と電気的な接続をなす複数個のコンタクト５が設けられている。さらに、このような本発明のカードコネクタ１は、ＩＣカード挿入口４からＩＣカード２０を挿入した時のＩＣカード２０の位置決めをなし、かつＩＣカード２０の後ろ差しのような誤挿入を防止するリブ８、１０と、リブ８、１０をそれぞれ被覆する合成樹脂材料の絶縁体９、１１とから構成された誤挿入防止機構６、７が設けられている。
【００１２】
本発明のカードコネクタ１において、基板２は、適宜な合成樹脂材料などの絶縁材料によって成形して作られ、金属材料の板金カバー３と組合せられて中空のハウジング形状に作られ、ＩＣカード２０が挿入されるように形成されている。
【００１３】
従って、ＩＣカード２０は、カードコネクタ１の前方側に形成されたＩＣカード挿入口４からカードコネクタ１内に挿入される。
【００１４】
板金カバー３は、図示されるような形状に、例えばステンレス鋼板のような金属薄板材料から打抜き加工やプレス加工などによって作られ、前方側にＩＣカード挿入口４が形成され、後方側に複数個のコンタクト５のための開口部１２が設けられており、特に、左右の端の開口部１２にリブ８とリブ１０が内側に向って突出するように折り曲げて設けられている。
【００１５】
これらリブ８、１０において、先ず、リブ８は、カードコネクタ１の長手方向、すなわちＩＣカード２０の挿入方向、に対して平行な方向に沿って折り曲げられており、他方のリブ１０は、カードコネクタ１の横方向、すなわち先のリブ８の折り曲げ方向と直交する方向に折り曲げられている。勿論、これらリブ８、１０の折り曲げ方向はいずれの方向でも良く、上記の方向に限られるものでもなく、また、数も２つに限られず、１つでも３つでも良く、一般的には２つが好適である。さらに、これらリブ８、１０には、例えばアウトサート成形などによって合成樹脂材料の絶縁体９、１１が一体的に成形加工することによって設けられている。なお、このようなリブ８、１０への絶縁体９、１１の成形は、アウトサート成形に限られるものではなく、インサート成形や他の適宜な手段によって形成できることは勿論である。また、このような絶縁体９、１１の成形は、リブ８、１０の端面、または端面と両側面、あるいは端面といずれか一方の側面とを被覆するように設けることができる。
【００１６】
また、カードコネクタ１の後方側には複数個のコンタクト５が設けられており、カードコネクタ１内に挿入されたＩＣカード２０のパッド部２２と接触して電気的に接続され、これらコンタクト５を介して電子機器のプリント配線基板（図示しない）と接続されるようになっている。
【００１７】
すなわち、図２に明示されるように、コンタクト５は、先端部分にＩＣカード２０のパッド部２２と接触して接続される弾性変位可能に円弧状に彎曲した接触弾性条片部５ａが形成される共に、後端部分に電子機器のプリント配線基板と半田付けなどによって適宜に接続される端子部５ｂが設けられている。
【００１８】
このように構成された本発明のカードコネクタ１においては、ＩＣカード２０として例えば、二段厚型カードが用いられ、このようなＩＣカード２０がＩＣカード挿入口４からカードコネクタ１内に挿入される時に、正規の状態でＩＣカード２０が挿入された場合には、ＩＣカード２０の段付部分における凹部２１がコンタクト５部分と正しく位置されて、コンタクト５の接触弾性条片部５ａがＩＣカード２０の凹部２１のパッド部２２の上に位置されて、良好に接触されて接続される。
【００１９】
この場合に、コンタクト５の接触弾性条片部５ａは、ＩＣカード２０の厚い先端部分が通る時には、コンタクト５の接触弾性条片部５ａが図２に鎖線で示されるように上方に押し上げられて弾性変形されて、通過後にＩＣカード２０のパッド部２２に対して接触弾性条片部５ａが戻ってパッド部２２の上に適切な接触圧力をもって当接されて良好に接続されるようになる。
【００２０】
これによって、ＩＣカード２０は、パッド部２２からコンタクト５を介して電子機器のプリント配線基板と電気的に好適に接続されるようになる。また、このような場合に、リブ８、１０は絶縁性の合成樹脂材料の絶縁体９、１１によって被覆されているので、ＩＣカード２０のパッド部２２と接触するようにされても何等ショートするようなことが全く無く、ＩＣカード２０を適切に位置決めしてカードコネクタ１内にＩＣカード２０を装填することができるようになる。
【００２１】
また、もしも誤ってＩＣカード２０を後ろ向きで差込んでも、ＩＣカード２０の後端部が、合成樹脂材料の絶縁体９、１１で被覆されているリブ８、１０に当たって阻止されるので、これらリブ８、１０がストッパとして有効的に作用してＩＣカード２０の誤挿入を適切に防止することができ、絶縁体９、１１が被覆されたリブ８、１０から成る誤挿入防止機構６、７が好適に作用するように構成されている。
【００２２】
上述したように構成された本発明のカードコネクタ１によれば、基板２と、この基板２に組合せられる板金カバー３とによってハウジング形状に形成され、板金カバー３に内方に折り曲げて突出するリブ８、１０を設け、これらリブ８、１０をそれぞれ合成樹脂材料で被覆して絶縁体９、１１を形成して成る誤挿入防止機構６、７が構成されているので、板金カバー３の一部を折り曲げるだけでリブ８、１０を簡単に形成することができ、挿入されるＩＣカード２０の過度の挿入によるリブ８、１０の載り越えを防止してＩＣカード２０を良好に保護すると共に、コンタクト５の接触弾性条片部５ａを座屈しないように保護し、ショートの発生を無くし、かつＩＣカード２０の後ろ差しのような誤挿入を確実に防止することができ、さらに、カードコネクタ１が、絶縁材料の基板２に、金属薄板材料で作られた板金カバー３を組合せて形成されることによって、カードコネクタ１自体の厚さを薄く低背化を図ることができる。
【００２３】
【発明の効果】
本発明の請求項１記載のカードコネクタは、基板と、前記基板に組合せられる板金カバーとによって形成されるＩＣカード用のカードコネクタにおいて、前記板金カバーには、前記板金カバー内方に折り曲げて突出するリブと、前記リブをそれぞれ合成樹脂材料で被覆して形成した絶縁体とからなる誤挿入防止機構を配設しているので、挿入されるＩＣカードの過度の挿入によるリブの載り越えを防止してＩＣカードを良好に保護すると共に、コンタクトの接触弾性条片部を座屈しないように保護し、ショートの発生を無くし、かつＩＣカードの後ろ差しのような誤挿入を防止することができる。
【００２４】
本発明の請求項２記載のカードコネクタは、前記リブが、端面、端面と両側面、あるいは端面といずれか一方の側面が合成樹脂材料で被覆されるので、簡単な構成に、容易に作ることができ、ＩＣカードの後ろ差し等の誤挿入を良好に防止することができる。
【図面の簡単な説明】
【図１】本発明のカードコネクタにＩＣカードを挿入して示す平面図である。
【図２】図１のＡ−Ａ線に沿った部分断面図である。
【図３】本発明のカードコネクタの板金カバーに設けられるリブを示す板金カバーを裏返した斜視図である。
【符号の説明】
１      カードコネクタ
２      基板
３      板金カバー
４      ＩＣカード挿入口
５      コンタクト
５ａ    接触弾性条片部
５ｂ    端子部
６      誤挿入防止機構
７      誤挿入防止機構
８      リブ
９      絶縁体
１０    リブ
１１    絶縁体
１２    開口部
２０    ＩＣカード
２１    凹部
２２    パッド部
【図１】
0003561487.tif 000002
【図２】
0003561487.tif 000003
【図３】
0003561487.tif 000004